(57)【要約】【課題】運搬時に嵩張らず、運搬等の取扱い時に破損することがなく、設置現場で安定的に設置することを可能とする式典用表示塔を提供することを課題とする。【解決手段】折り畳み自在なシート材により中空状に形成され、空気の圧入により柱状形態に膨張する表示塔本体１と、この表示塔本体の下端部に設けられ、注水・排水自在とされた水槽２とを備え、前記表示塔本体の前面に案内事項を表示する表示部１４，１５が設けられているとともに空気の給排を行うための空気供給手段が設けられており、設置場所で表示塔本体１を膨張させて所定の表示塔形態とするとともに水槽２に注水して安定設置可能とし、使用後空気および水を排出して小容積に折り畳めるようにしたことにある。【選択図】図１
2007229103.tif 000002
【特許請求の範囲】
【請求項１】
プラスチックシート、ゴムシート、その他の折り畳み自在なシート材により中空状に形成され、空気の圧入により柱状形態に膨張する表示塔本体と、この表示塔本体の下端部に設けられ、注水・排水自在とされた水槽とを備え、前記表示塔本体の前面に案内事項を表示する表示部が設けられているとともに空気の給排を行うための空気供給手段が設けられており、設置場所で表示塔本体を膨張させて所定の表示塔形態とするとともに水槽に注水して安定設置可能とし、使用後空気および水を排出して小容積に折り畳めるようにしたことを特徴とする式典用表示塔。
【請求項２】
前記水槽は、その上部位置に給水口が、同下部位置に排水口が設けられている請求項１記載の式典用表示塔。
【請求項３】
前記表示塔本体の下部内に照明器具を内蔵して電源に接続可能とされ、この照明器具を点灯することにより表示塔本体の内部から照明して前記表示塔本体の存在および表示部に表示された案内事項が明示されるようになされている請求項１記載の式典用表示塔。
【請求項４】
前記表示塔本体の上端に笠木状の屋根が一体的に設けられ、表示塔本体の前面の表示部が、故人の氏名、通夜、告別式の日時等葬儀の案内事項を表示する表示欄とされた葬儀用の表示塔とされている請求項１記載の式典用表示塔。
【請求項５】
前記表示塔本体の前面の表示部が、献花の種類を絵柄で表示する献花絵柄表示欄と、供えた人の氏名を表示する献花者表示欄とされ、生花、花輪に代わる葬儀用献花塔とされている請求項１記載の式典用表示塔。
【発明の詳細な説明】
【技術分野】
【０００１】
本発明は、葬儀等の式典用表示塔に関する。
【背景技術】
【０００２】
葬儀を取り行うとき、葬儀を行う式場に故人の氏名や以後の式典の予定日時等の案内を表示する表示板が設置される。
【０００３】
この種の表示板は、通常葬儀全般を取り仕切る葬儀社の手によって準備され、葬儀社から葬儀式場へ運び、式場で人目につきやすい所定の位置に立てて表示するようになされる。
【０００４】
従来から用いられている上記表示板は、例えば特許文献１に代表されるような立看板構造のものが一般に用いられている。この表示板は、予め縦長形状に組み立てられた木枠に用紙を貼り、この用紙に故人の氏名や、通夜、告別式の日時等の案内事項を記入したうえ葬儀式場へ運搬して立設するようになされている。
【０００５】
しかして葬儀は予告なしに突発的に発生するのが常であり、葬儀社が葬儀の依頼を受けたとき直ちに準備に入り、前記表示板もその際に作成して葬儀式場へ運ぶことになるが、この表示板は前述のように目立たせる必要があることから一般に高さが３〜４ｍと大きな形状で嵩張る構造であり、これを葬儀式場へ運搬することは容易でない。
【０００６】
特に従来の立看板構造の表示板は運搬時に折損や破損を生じやすく、それ故運搬時や設置時における取扱いには細心の注意を要するものであり、そのため取扱い時の作業が容易でないという問題点がある。
【０００７】
さらに従来の表示板は立看板構造であるため、葬儀式場での立設時に風の影響等により倒れないように設置しなければならず、その基礎を強固に作る必要があり、そのため設置時に多くの手段を要するなどの問題点があった。
【特許文献１】実用新案登録第３０６９３５６号公報
【発明の開示】
【発明が解決しようとする課題】
【０００８】
本発明は、運搬時に嵩張らず、また運搬等の取扱い時に折損するおそれがなく、しかも設置現場において基礎を構築することなく迅速かつ安定に設置することができ、繰り返し使用が可能な式典用表示塔を提供することを課題としている。
【０００９】
なお、本発明による式典用表示塔は葬儀に限られるものではなく、結婚式場、披露宴会場、その他各種式典用表示塔として適用することができる汎用性を有する。
【課題を解決するための手段】
【００１０】
上記課題を解決する手段として本発明は、プラスチック、ゴムシート、その他の折り畳み自在なシート材により中空状に形成され、空気の圧入により柱状形態に膨張する表示塔本体と、この表示塔本体の下端部に設けられ、注水・排水自在とされた水槽とを備え、前記表示塔本体の前面に案内事項を表示する表示部が設けられているとともに空気の給排を行うための空気供給手段が設けられており、設置場所で表示塔本体を膨張させて所定の表示塔形態とするとともに水槽に注水して安定設置可能とし、使用後空気および水を排出して小容積に折り畳めるようにしたことにある。
【００１１】
上記水槽は、その上部位置に給水口を、同下部位置に排水口を設けることが望ましい。
【００１２】
また前記表示塔本体の下部内に照明器具を内蔵して電源に接続可能とし、この照明器具を点灯することにより表示塔本体の内部から照明して前記表示塔本体の存在および表示部に表示された案内事項が明示されるようにすることができる。
【００１３】
前記表示塔本体の上端に笠木状の屋根を一体的に設け、表示塔本体の前面の表示部を故人の氏名、通夜、告別式の日時等葬儀の案内事項を表示する表示欄として、葬儀用の表示塔とすること、または表示塔本体の前面の表示部を献花の種類を絵柄で表示する献花絵柄表示欄と、供えた人の氏名を表示する献花者表示欄とし、生花、花輪に代わる葬儀用の献花塔とすることが本発明の効果を最も発揮させることができる。
【発明の効果】
【００１４】
本発明によれば、不使用時には空気を抜いて小さく折り畳んで収蔵しておくことができるので嵩張ることがなく、小容積化して格納しておくことができ、使用に際しては式場へ持ち運んで表示塔本体の空気供給手段（ファン、ポンプ等）により空気を圧入することにより直ちに柱状形態に膨張させ、その前面の表示部に所要の表示を施すとともに水槽に水を注入するだけで表示塔本体の下端に重心が移行して安定的に設置することができ、即座に表示塔としての機能を果しめることができる。
【００１５】
使用後は、水槽の水および表示塔本体内の空気を排出させれば、前述のように小さく折り畳んで持ち帰ることができ、次回使用時まで場所をとらずに収納しておくことができる。
【００１６】
持ち運びの際も、表示塔本体の構成資材が柔軟なシート材であるから折損したり破損するおそれがなく、取扱いが簡便になって作業性を著しく高めることができ、また繰り返しの使用が可能であるから大きな経済的効果を得ることができる。
【００１７】
一方、表示塔本体に照明器具を内接すれば、これを点灯することにより夜間や暗所であっても表示塔自体の存在を明示することができると同時に前面に表示された表示内容を明示することができ、表示塔としての機能を高めることができる。
【００１８】
さらに本発明による式典用表示塔は角柱状をなして立設されるので、従来の平板状の表示板に比し立体感があり、ゴージャスな感じを与え、式典の雰囲気を一層格調の高いものとすることに寄与することができる。
【発明を実施するための最良の形態】
【００１９】
図１は本発明を葬儀の式典用表示塔とした場合の一実施形態を示すもので、（Ａ）は一部を断面とした正面図、（Ｂ）は一部を断面とした側面図を示し、図２は図１（Ａ）のＸ−Ｘ矢視相当断面図を示している。
【００２０】
上記実施形態における概要は、プラスチックシート、ゴムシート、その他折り畳み自在な柔軟なシート材で中空状に形成された表示塔本体１と、この表示塔本体１の下端部に設けられる水槽２と、同じく表示塔本体１の下部に内設された照明器具３とで構成されている。
【００２１】
前記表示塔本体１は、空気の圧入により柱状形態に膨張するもので、図示の例では角柱状に膨らむようになっており、下端面には接地用の基板４が固着されている。そしてこれを含む表示塔としての全高は約４ｍとされている。
【００２２】
空気の供給手段としては、表示塔本体１の下部にファン５が内蔵され、このファン５を回動して外気を導入することにより表示塔本体１を膨張させるようになされている。しかしこの空気供給手段は、手押し式あるいは空気ボンベにより空気を圧入するよう、表示塔本体１の適所にバルブ付き空気供給口を設け、これにホースを接続してポンプあるいはボンベから空気を圧送して表示塔本体１を膨張させるようにしてもよい。使用後はバルブを開けて排気させる。
【００２３】
前記表示塔本体１の下端部には水槽２が設けられている。
【００２４】
この実施形態では、表示塔本体１の下端四周が末広がり状とされて外形が台形状に形成されており、この下端内部四周に仕切り壁６，６を設けることによりその周囲に水槽２が形成されている。
【００２５】
上記水槽２には、その上部に給水口７が、同下部に排水口８がそれぞれ設けられており、これらは栓により開閉自在とされ、給水口７から注水することにより水槽２が水で満されて重量のある基台として機能し、表示塔本体１を安定した直立姿勢に自立させることができるようになっている。
【００２６】
前記水槽２の中央部に形成される空間部９内に照明器具３が接地されている。
【００２７】
この照明器具３は、例えば水銀灯（Ｈ１Ｄ４００Ｗアルミセード、安定器付き）などが用いられ、その上部には保護ガード１０が設けられており、この照明器具３には外部の電源にコード１１を用いて接続できるようになされている。
【００２８】
図において１２，１２は表示塔本体１をより安定化するため表示塔本体１の背面にそって立ち上がりこれを支えるよう前記基板４に立設される補強杆１ａは移動時の手掛けとなる取手である。
【００２９】
前記表示塔本体１の上端には笠木状の屋根１３が一体的に形成され、表示塔本体１と共に膨張して図示の形態に展開されるようになっている。
【００３０】
前記表示塔本体１の前面には表示部１４，１５が設けられている。
【００３１】
この実施形態では、葬儀用表示塔であるので、中央に故人の氏名を表示する表示部１４が、その側方位置に通夜、告別式の日時を表示する表示部１５，１５がそれぞれ設けられており、これら表示部１４，１５は、例えば別途記載した用紙の貼布、差込みなどによる表示方法、あるいは拭過することにより繰り返し筆記可能なボード状のシートなどとすることができる。
【００３２】
したがって使用に際しては、ファン５を駆動して表示塔本体１内に外気を導入し、角柱状に膨張させ、水槽２にその給水口７から水を注入する。この注水により表示塔本体１の重心が下端に移行して安定的に設置することができる形態となる。
【００３３】
そして表示塔本体１の前面の表示部１４，１５に然るべき表示を施して葬儀式場の所定の場所に設置して使用される。
【００３４】
夜間には照明器具３に通電して点灯させ、表示塔本体１および表示部１４，１５を明示させる。
【００３５】
式典終了後は、補強杆１２，１２を外し、水槽２の排水口８を開けて水を排出させるとともに表示塔本体１内の空気を排出させる。これにより全体を小さく折り畳むことができるので、運搬や収納時に嵩張ることなく取扱うことができ、折損事故も生じることなく、簡便に作業することができる。
【００３６】
図３は本発明を葬儀用の献花塔とした場合の実施形態を示すもので、図３（Ａ）は正面図、同（Ｂ）は一部を断面とした側面図を示し、図４は図３（Ａ）のＹ−Ｙ矢視相当断面図を示している。
【００３７】
この実施形態の基本構造は前記図１に示した実施形態と同様であり、異なる点は表示塔本体１の前面の表示部が、献花の種類を絵柄で表示する献花絵柄表示欄１６と、供えた人の氏名を表示する献花者表示欄１７とされていることであり、生花や花輪に代えて使用されるものである。
【００３８】
他の構成部分および使用の仕方に関しては前述の実施形態と同様であるので、これと対応する部分には同一符号を付すに留め、重複説明は省略する。
【図面の簡単な説明】
【００３９】
【図１】本発明による式典用表示塔の一実施形態を示し、（Ａ）は使用形態とした状態の一部を断面とした正面図、（Ｂ）は同、側面図。
【図２】図１（Ａ）のＸ−Ｘ矢視相当の断面図。
【図３】本発明による式典用表示塔の他の実施形態を示し、（Ａ）は使用形態とした正面図、（Ｂ）は同、一部を断面とした側面図。
【図４】図３（Ａ）のＹ−Ｙ矢視相当の断面図。
【符号の説明】
【００４０】
１  表示塔本体
２  水槽
３  照明器具
４  基板
５  ファン
６  隔壁
７  給水口
８  排水口
９  空間部
１０  保護ガード
１１  コード
１２  補強杆
１３  屋根
１４，１５  表示部
１６  献花絵柄表示欄
１７  献花者表示欄
【図１】
2007229103.tif 000003
【図２】
2007229103.tif 000004
【図３】
2007229103.tif 000005
【図４】
2007229103.tif 000006